(57)【要約】【課題】複数のソースで各々提供している情報の内容確認を同時に行えるようにし、ソース選択に係る操作の煩わしさの軽減に寄与することができる「車載用オーディオ／ビデオ装置及びソース選択方法」を提供すること。【解決手段】入力手段と、音声出力手段と、表示手段と、これら各手段を制御する制御手段とを備えた車載用オーディオ／ビデオ装置において、入力手段を介して画面表示の指示があったときに、制御手段により、音声出力手段に対し複数のソースの音像Ｓ（Ａ）、Ｓ（Ｂ）、Ｓ（Ｃ）をそれぞれ異なる位置に定位させて同時に音声出力すると共に、表示手段の画面ＤＰ上の、各ソースＡ，Ｂ，Ｃの音像の定位に対応した各々の位置に、それぞれ当該ソースを特定するアイコンＩＣ（Ａ）、ＩＣ（Ｂ）、ＩＣ（Ｃ）を表示する。【選択図】図１
2007228336.tif 000002
【特許請求の範囲】
【請求項１】
ユーザの指示を入力する入力手段と、
選択されたソースの音声を出力する音声出力手段と、
画面を通して情報を提供する表示手段と、
前記入力手段、音声出力手段及び表示手段に対し情報の入出力を制御する制御手段とを備え、
前記制御手段は、ソース選択に係る画面表示の指示が入力されたときに、前記音声出力手段に対し複数のソースの音像をそれぞれ車室内の異なる位置に定位させて同時に音声出力させると共に、前記表示手段の画面上の、当該複数のソースの音像の定位に対応した各々の位置に、それぞれ当該ソースを特定する文字又はアイコンを表示させることを特徴とする車載用オーディオ／ビデオ装置。
【請求項２】
前記制御手段は、前記複数のソースの音声を同時に出力させる代わりに、各ソースの音声を時系列的に順次切り替えて出力させることを特徴とする請求項１に記載の車載用オーディオ／ビデオ装置。
【請求項３】
前記制御手段は、前記各ソースの音声を時系列的に順次切り替えて出力させる際に、音声出力中の当該ソースの文字又はアイコンを相対的に目立つ表示態様で表示させることを特徴とする請求項２に記載の車載用オーディオ／ビデオ装置。
【請求項４】
前記制御手段は、前記表示手段の画面上に表示された複数のソースのいずれかに対してソース選択の指示が入力されなかった場合においてソース選択に係る画面切替の指示が入力されたときに、別の複数のソースの音像をそれぞれ異なる位置に定位させて同時に音声出力させると共に、前記表示手段の画面上の、当該複数のソースの音像の定位に対応した各々の位置に、それぞれ当該ソースを特定する文字又はアイコンを表示させることを特徴とする請求項１に記載の車載用オーディオ／ビデオ装置。
【請求項５】
前記制御手段は、前記表示手段の画面上に当該ソースを特定する文字又はアイコンを表示させる際に、当該ソースが映像情報を出力しているときは当該文字又はアイコンに代えて当該映像情報を表示させることを特徴とする請求項１に記載の車載用オーディオ／ビデオ装置。
【請求項６】
前記音声出力手段は、少なくとも車室内の前方左側及び前方右側にそれぞれ設置された２つのスピーカを有し、
前記制御手段は、前記２つのスピーカに対し第１、第２及び第３のソースの音像をそれぞれ車室内の前方左側の近傍、前方中央、前方右側の近傍に定位させて同時に音声出力させると共に、前記表示手段の画面上の、当該各ソースの音像の定位に対応した各々の位置に、それぞれ当該ソースを特定する文字又はアイコンを表示させることを特徴とする請求項１に記載の車載用オーディオ／ビデオ装置。
【請求項７】
前記制御手段は、前記第１、第２及び第３のソースから出力された信号に対しそれぞれモノラル化処理を行い、さらに一方のスピーカに対し、前記第１及び第２のソースから出力された各信号をミキシング処理して出力すると共に、他方のスピーカに対し、前記第２及び第３のソースから出力された各信号をミキシング処理して出力することを特徴とする請求項６に記載の車載用オーディオ／ビデオ装置。
【請求項８】
画面を有する表示手段と、ユーザ指示に基づき選択されたソースの音声を出力する音声出力手段を備えた車載用オーディオ／ビデオ装置において、
ソース選択に係る画面表示の指示があったときに、前記音声出力手段に対し複数のソースの音像をそれぞれ車室内の異なる位置に定位させて同時に音声出力させると共に、
前記表示手段の画面上の、当該複数のソースの音像の定位に対応した各々の位置に、それぞれ当該ソースを特定する文字又はアイコンを表示させ、
前記画面上に表示された複数の文字又はアイコンに対応する各ソースのいずれかに対して選択の指示があった場合に、前記音声出力手段を介して当該ソースの音声を出力させることを特徴とするソース選択方法。
【請求項９】
前記複数のソースの音声を同時に出力させる代わりに、各ソースの音声を時系列的に順次切り替えて出力させることを特徴とする請求項８に記載のソース選択方法。
【請求項１０】
前記各ソースの音声を時系列的に順次切り替えて出力させる際に、音声出力中の当該ソースの文字又はアイコンを相対的に目立つ表示態様で表示させることを特徴とする請求項９に記載のソース選択方法。
【請求項１１】
前記画面上に表示された複数の文字又はアイコンに対応する各ソースのいずれかに対して選択の指示がなかった場合においてソース選択に係る画面切替の指示があったときに、別の複数のソースの音像をそれぞれ異なる位置に定位させて同時に音声出力させると共に、前記表示手段の画面上の、当該複数のソースの音像の定位に対応した各々の位置に、それぞれ当該ソースを特定する文字又はアイコンを表示させることを特徴とする請求項８に記載のソース選択方法。
【発明の詳細な説明】
【技術分野】
【０００１】
本発明は、車載用オーディオ／ビデオ装置及びソース選択方法に関し、より詳細には、車室内の乗員に対してラジオ受信機やＣＤプレーヤ等のソースから出力される音声（オーディオ）情報、ＴＶ受信機やＤＶＤプレーヤ等のソースから出力される映像（ビデオ）情報などの各種エンターテイメントを提供する車載用オーディオ／ビデオ（Ａ／Ｖ）装置において各ソースを選択する際の操作利便性を高めるのに有用な技術に関する。
【背景技術】
【０００２】
車室内で享受できるエンターテイメントとしては、今までのＡＭ／ＦＭラジオ受信機やカセットプレーヤ、ＣＤプレーヤ等の音声情報主体のソースから、ＤＶＤプレーヤ、ＴＶ受信機等の映像情報も提供可能なソースを含めた多種多様のソースを選択できるようになってきている。ソースを選択する手法としては、例えば、ロータリ式もしくはトグル式のスイッチを操作してソースを順次選択する方法や、画面上に表示させたソースの中からタッチ操作により選ぶ方法などがある。このような方法は、エンターテイメント情報として享受できるソースの種類が昨今増えてきているにもかかわらず、従来から行われている手法と大差はない。
【０００３】
例えば、Ａ／Ｖ装置に６種類のソース（ＦＭ、ＡＭ、ＴＶ、ＤＶＤ、ＣＤ、ＨＤＤ）が接続されている場合を例にとると、従来の手法では、ソース選択に係るキー操作を１回行う毎に、ＦＭ→ＡＭ→ＴＶ→ＤＶＤ→ＣＤ→ＨＤＤ→ＦＭ→ＡＭ→……と順次選択されるようになっている。このため、例えば、現在選択中のソースが「ＦＭ」であるときに「ＤＶＤ」へのソース切替を行う場合、キー操作を３回行う必要があり、その際、誤ってもう１回キー操作を行ってしまうと、目的のソース「ＤＶＤ」を選択するにはさらに５回のキー操作を行う必要がある。
【０００４】
このように従来のソース選択の方法では、複数のソースの中から１つのソースを選択する際、あるソースに切替接続した後に自分の趣向に合うか、又は目的のソースかどうかを判断し、合わないものであれば再度ソースの切替操作を行っていた。つまり、気に入ったソースを探すのに複数回のソース切替操作が必要であった。
【０００５】
上記の従来技術に関連する技術としては、例えば、特許文献１に記載されるように、車載オーディオ装置において、同乗者に不快感を与えることなく運転者にナビゲーション案内音声を伝えたり、ナビゲーション案内音声と電話音声を区別できるようにしたものがある。また、特許文献２に記載されるように、車載用音響装置統合システムにおいて、自動車における音の情報を統合して管理し、状況に応じた情報を搭乗者が容易に認識できる形態で伝えることができるようにしたものがある。
【特許文献１】特開２０００−６５５９２号公報
【特許文献２】特開平７−１５９１９０号公報
【発明の開示】
【発明が解決しようとする課題】
【０００６】
上述したように従来の車載用Ａ／Ｖ装置では、複数のソースから１つのソースを選択する際、気に入ったソースを探すのに複数回のソース切替操作を必要としていたため、ユーザにとってはソース選択に係る操作が煩わしいといった問題があった。
【０００７】
また、このように各ソースを順次切り替えて選択する従来の方法では、目的とするソースに至るまでの途中に経過ソース（例えば、上記の例において現在選択中の「ＦＭ」から「ＤＶＤ」へ切替を行う場合の「ＡＭ」と「ＴＶ」）があると、その経過ソースに対してもその都度一時的に接続及び遮断が行われていたため、目的のソースへ切り替えるまでに要する時間が増大し、そのための制御が複雑化するといった問題もあった。
【０００８】
また、従来の方法では、選択中のソースの情報を享受している（例えば、ＣＤを聴いている）時は、他のソースへの選択切替を行わない限り、他のソースで今どのような情報が提供されているのか（例えば、ＴＶで何か面白いことをやってるか、ＦＭで面白いことをやってるかなど）を知ることはできない。
【０００９】
本発明は、かかる従来技術における課題に鑑み創作されたもので、複数のソースで各々提供している情報の内容確認を同時に行えるようにし、ひいてはソース選択に係る操作の煩わしさの軽減に寄与することができる車載用オーディオ／ビデオ装置及びソース選択方法を提供することを目的とする。
【課題を解決するための手段】
【００１０】
上記の従来技術の課題を解決するため、本発明によれば、ユーザの指示を入力する入力手段と、選択されたソースの音声を出力する音声出力手段と、画面を通して情報を提供する表示手段と、前記入力手段、音声出力手段及び表示手段に対し情報の入出力を制御する制御手段とを備え、前記制御手段は、ソース選択に係る画面表示の指示が入力されたときに、前記音声出力手段に対し複数のソースの音像をそれぞれ車室内の異なる位置に定位させて同時に音声出力させると共に、前記表示手段の画面上の、当該複数のソースの音像の定位に対応した各々の位置に、それぞれ当該ソースを特定する文字又はアイコンを表示させることを特徴とする車載用オーディオ／ビデオ装置が提供される。
【００１１】
本発明に係る車載用オーディオ／ビデオ装置によれば、図１に例示するように、制御手段により、画面表示の指示に基づいて設定したソース選択画面ＤＰ上の各ソースＡ、Ｂ、ＣのアイコンＩＣ（Ａ）、ＩＣ（Ｂ）、ＩＣ（Ｃ）の配列に対応した異なる位置（ユーザから見て異なる方向）に、それぞれ当該ソースの音像Ｓ（Ａ）、Ｓ（Ｂ）、Ｓ（Ｃ）が定位する。
【００１２】
これにより、各ソースＡ、Ｂ、Ｃから同時に音声が出力されていても各々の音像の位置の違いにより、どのソースからどのような情報が提供されているのかを聴覚的に判断することができる。つまり、ソース選択画面ＤＰに表示された複数のソースＡ，Ｂ，Ｃがそれぞれどのような情報（内容）を提供しているのかを同時に確認することができる。また、一度に複数のソース（アイコン）を画面に表示してその内容確認を行えるようにしているので、複数のソースの中から所望のソースを選択するのに必要な操作回数を相対的に（従来形と比べて）少なくすることができ、ソース選択に係る操作の煩わしさを軽減することができる。
【００１３】
また、本発明の他の形態によれば、上記の形態に係る車載用オーディオ／ビデオ装置を用いて行うソース選択方法が提供される。このソース選択方法の詳細については、後述する発明の実施の形態を参照しながら説明する。
【発明を実施するための最良の形態】
【００１４】
以下、本発明の実施の形態について、添付の図面を参照しながら説明する。
【００１５】
図２は本発明の一実施形態に係る車載用オーディオ／ビデオ（Ａ／Ｖ）装置の構成を示したものである。
【００１６】
本実施形態に係る車載用Ａ／Ｖ装置３０は、複数のソース（図示の例では、ＦＭラジオ受信機１、ＡＭラジオ受信機２、ＴＶ受信機３、ＤＶＤプレーヤ４、ＨＤＤ５、ＣＤプレーヤ６）と、マイクロコンピュータ（マイコン）等により構成された制御部１０と、セレクタ１１と、デジタル信号プロセッサ（ＤＳＰ）１２と、このＤＳＰ１２を通して出力されたオーディオ信号を増幅するアンプ１６Ｌ及び１６Ｒと、各アンプにそれぞれ接続されたスピーカ１７Ｌ及び１７Ｒと、表示装置１８と、操作部１９と、リモコン２０とを備えている。また、必要に応じて、図中破線で示すようにタッチパネル付表示装置２１を設けてもよい。
【００１７】
図示の例では、６種類のソース（ＦＭ１／ＡＭ２／ＴＶ３／ＤＶＤ４／ＨＤＤ５／ＣＤ６）のみを示しているが、これ以外にも、例えば、カセットプレーヤ、ＭＤプレーヤ、メモリスティック等のソースを適宜搭載している。また、特に図示はしていないが、各ソース１〜６、制御部１０（セレクタ１１、ＤＳＰ１２）、スピーカ１７Ｌ，１７Ｒ（アンプ１６Ｌ，１６Ｒ）、表示装置１８及び操作系１９〜２１は、伝送路として供される光ファイバ等のバスを介して相互に接続されている。
【００１８】
各ソース１〜６は、基本的な動作として、操作部１９やリモコン２０等を介して入力された操作／選択指示に係る情報を制御部１０を介して受信し、その操作／選択指示に係る情報に基づいて自己の動作状態を設定又は変更し、その結果（現在の動作状態）を指示する情報をオーディオ／ビデオ信号としてバスに送出する。例えば、「ＦＭ」ソース１の場合、操作部１９等から与えられる操作指示等に応答して、ＦＭ放送の信号を受信して復調することによりオーディオ信号を生成し、これをデジタルのオーディオデータに変換してバスに送出する。また、「ＤＶＤ」ソース４の場合、同じく操作部１９等から与えられる操作指示等に応答して、ユーザにより選択されたＤＶＤの記録面に記録されたビデオ信号を読み取り、再生されたビデオデータをバスに送出する。
【００１９】
制御部１０は、本装置３０全体の制御を行うものであり、基本的には、操作部１９やリモコン２０等から入力された操作／選択指示に基づき、選択ソースからバスを介して送られてくるオーディオ／ビデオ（Ａ／Ｖ）データを取得してＡ／Ｖ情報の再生を行う動作、操作状況や動作状態等を指示する情報を表示装置１８に表示させる動作等の制御を行う。この場合、取得されたオーディオデータは、制御部１０からの制御に基づきセレクタ１１及びＤＳＰ１２を介してスピーカ１７Ｌ，１７Ｒ（アンプ１６Ｌ，１６Ｒ）に送られる。また、取得されたビデオデータは、制御部１０によりバスを介して表示装置１８に送られる。さらに制御部１０は、本発明に関連する処理として、後述するように操作部１９等からの指示に基づいてソース選択画面の表示及びその画面切替を制御したり、ソース選択画面の表示中における当該ソースの音像の定位を制御する機能を有している。
【００２０】
セレクタ１１は、制御部１０からの制御に基づいて、複数のソース１〜６のうち所定数のソース（本実施形態では３種類のソース）の出力を選択して出力する。図示の例では、セレクタ１１を通してＦＭ１、ＴＶ３、ＣＤ６の各ソースの出力を選択している（破線で表示）。
【００２１】
ＤＳＰ１２は、セレクタ１１により選択された３種類のソース（この場合、ＦＭ１、ＣＤ６、ＴＶ３）の各出力に対応してそれぞれ設けられたモノラル化処理部１３ａ，１３ｂ及び１３ｃと、モノラル化処理部１３ａから出力されたオーディオ信号（ＦＭ１の出力）とモノラル化処理部１３ｂから出力されたオーディオ信号（ＣＤ６の出力）とをミキシング処理して出力するミキサ１４ａと、モノラル化処理部１３ｂから出力されたオーディオ信号（ＣＤ６の出力）とモノラル化処理部１３ｃから出力されたオーディオ信号（ＴＶ３の出力）とをミキシング処理して出力するミキサ１４ｂと、各ミキサ１４ａ，１４ｂの出力を入力するオーディオ出力制御部１５とを備えている。
【００２２】
各モノラル化処理部１３ａ〜１３ｃは、Ｌチャンネルの信号とＲチャンネルの信号を単純に加算して出力するブロックである。ソースの種類によっては、一方のチャンネル（Ｌチャンネル又はＲチャンネル）にのみオーディオ信号が含まれているものもあるので、この「モノラル化処理」を行わないと、最終的にスピーカ１７Ｌ，１７Ｒから本来の音声が聴こえない場合も起こり得るからである。
【００２３】
オーディオ出力制御部１５は、各ミキサ１４ａ，１４ｂからそれぞれ出力されたオーディオ信号に対し、制御部１０からの制御に基づいて音量を調整したり、オーディオ信号の出力を停止したりするなどの処理を行う。ミキサ１４ａ及び１４ｂから出力されたオーディオ信号は、このオーディオ出力制御部１５を通して適宜オーディオ処理がなされ、さらにＤ／Ａ変換された後、それぞれ対応するアンプ１６Ｌ及び１６Ｒに入力され、増幅された後、それぞれ対応するスピーカ１７Ｌ及び１７Ｒに供給されて音声出力される。
【００２４】
スピーカ１７Ｌ及び１７Ｒは、それぞれ車室内の前方左側（助手席の近傍）及び前方右側（運転席の近傍）に設置されている。図示の例では、説明の簡単化のため２個のスピーカ１７Ｌ，１７Ｒのみ示されているが、実際には車室内の所定の場所に所要の個数のスピーカが設置されている。少なくとも、車室内の後方左側（リヤ席の左側の近傍）と後方右側（リヤ席の右側の近傍）にそれぞれ１個ずつ、計４個のスピーカが設置されている。
【００２５】
表示装置１８は、運転者と助手席の搭乗者が共用できるようにセンターコンソールのほぼ中間位置に設置されており、例えば、ＬＣＤモニタからなる。この表示装置１８の画面には、制御部１０からの制御に基づき各ソースから取得された情報（例えば、ＴＶ３、ＤＶＤ４等から取得された映像（ビデオ）情報、ＦＭ１、ＡＭ２から取得された放送受信周波数の情報、ＣＤ６から取得されたＣＤ演奏時のディスク番号、トラック数、経過時間等の情報など）が表示される。さらに本発明に関連する情報として、後述するように、制御部１０からの制御に基づいてソース選択画面及び当該画面に含まれる複数のソースの文字又はアイコンが表示される。
【００２６】
操作部１９は、表示装置１８の下方に「操作パネル」の形態で設置されており、各ソース１〜６に対して各種設定操作を行うための各種操作キー、例えば、電源のオン／オフ及び音量調整を行うためのキー、ソースを選択するためのキー、数字キー、所定の機能を行わせるためのプリセットキー、矢印が付されたシフトキー（矢印の部分を操作することでＦＦ／ＲＥＷ動作、シーク・アップ／ダウン動作等の操作を指示する）等を備えている。さらに、本発明に関連する操作キーとして、ソース選択に係る「画面表示」及びその「画面切替」の指示を入力するためのキーを備えている。リモコン２０は、例えば、赤外線通信により制御部１０と接続されており、操作部１９に設けられている各種操作キーと同等の機能をもったキーを備えている。リモコン２０を使用した場合、操作部１９のようにわざわざ手を伸ばして操作を行わなくても、ユーザの指示した操作情報を制御部１０に入力することができるので、操作性の面で有利である。
【００２７】
また、必要に応じて設けられるタッチパネル付表示装置２１は、表示装置１８の代わりに車室内のセンターコンソール上に配置される。このタッチパネル付表示装置２１は、表示部２１ｂとしてのＬＣＤパネルと、このＬＣＤパネル上に配置された透明電極からなるタッチパネル２１ａ（抵抗感圧方式、静電容量結合方式等）を備えており、さらにタッチパネル２１ａ上で操作者（この場合、運転者又は助手席の搭乗者）の指が触れた位置を検出してその結果を制御部１０に出力するタッチ位置検出部（図示せず）を備えている。
【００２８】
以上のように構成された本実施形態の車載用Ａ／Ｖ装置３０において、制御部１０及びＤＳＰ１２は協働して「制御手段」に、スピーカ１７Ｌ，１７Ｒは「音声出力手段」に、表示装置１８又はタッチパネル付表示装置２１における表示部２１ｂは「表示手段」に、操作部１９、リモコン２０又は表示装置２１に付属のタッチパネル２１ａは「入力手段」に、それぞれ対応している。
【００２９】
次に、本実施形態に係る車載用Ａ／Ｖ装置３０を用いて行うソース選択方法について、図３及び図４を参照しながら説明する。
【００３０】
図３は、本装置３０において行うソース選択に係る画面表示とその際に定位させる当該ソースの音像との関係を示したものである。図中、（ａ）は操作部１９、リモコン２０等から入力されたユーザ指示に基づき制御部１０により表示装置１８の画面に設定されたソース選択画面の一例を示しており、図示の例では、ソース選択画面４１上の異なる位置に３種類のソース（左から順にＦＭ、ＣＤ、ＴＶ）をそれぞれ特定するアイコンＩＣ１、ＩＣ６、ＩＣ３が表示されている。一方、（ｂ）は画面上に表示された各ソースの音像（音源）、すなわち、自分（運転席側／助手席側の乗員）から見てどの方向にどの音が聴こえるかをイメージ的に示したものである。この場合、図示のようにソース選択画面４１上の各ソース（ＦＭ、ＣＤ、ＴＶ）のアイコンＩＣ１、ＩＣ６、ＩＣ３の配列に対応した車室内の異なる位置に、それぞれ当該ソースの音像Ｓ１、Ｓ６、Ｓ３が定位している。この定位は、制御部１０からの制御に基づいてＤＳＰ１２により行われる。
【００３１】
本装置３０において、先ず、操作部１９、リモコン２０等からソース選択に係る「画面表示」の指示を入力すると、制御部１０からの制御に基づいて表示装置１８の画面に、図３（ａ）に示すように３種類のソース（左から順にＦＭ、ＣＤ、ＴＶ）をそれぞれ特定するアイコンＩＣ１、ＩＣ６、ＩＣ３が表示される。
【００３２】
この時、制御部１０からの制御に基づきＤＳＰ１２では、当該ソース（ＦＭ、ＣＤ、ＴＶ）から出力された各信号に対しそれぞれモノラル化処理部１３ａ〜１３ｃを通して「モノラル化処理」を行い、さらに、左側のスピーカ１７Ｌに供給すべきオーディオ信号として、ミキサ１４ａにより「ＦＭ」ソースの出力と「ＣＤ」ソースの出力をミキシング処理したものを出力し、一方、右側のスピーカ１７Ｒに供給すべきオーディオ信号として、ミキサ１４ｂにより「ＣＤ」ソースの出力と「ＴＶ」ソースの出力をミキシング処理したものを出力する。各ミキサ１４ａ，１４ｂから出力されたオーディオ信号は、上述したようにオーディオ出力制御部１５を通して適宜オーディオ処理がなされ、さらにＤ／Ａ変換され、それぞれ対応するアンプ１６Ｌ，１６Ｒを通して増幅された後、それぞれ対応するスピーカ１７Ｌ，１７Ｒに供給されて音声出力される。
【００３３】
これにより、図３（ｂ）に示すようにソース選択画面４１上の各ソース（ＦＭ、ＣＤ、ＴＶ）のアイコンＩＣ１、ＩＣ６、ＩＣ３の配列に対応した異なる位置に、それぞれ当該ソースの音像Ｓ１、Ｓ６、Ｓ３が定位する。このとき、各ソース（ＦＭ、ＣＤ、ＴＶ）の音声はスピーカ１７Ｌ，１７Ｒを通して同時に出力されているが、図示のように各ソースの音像は互いに異なる位置に定位しているので、運転席側、助手席側のいずれの乗員にとっても、どのソースからどの音声が出力されているのかを聴覚的に判断することが可能となる。
【００３４】
つまり、ソース選択画面４１に表示された複数のソースについて各ソースがそれぞれどのような情報（内容）を提供しているのかを同時に確認することができる。これにより、複数のソースの中から自分の趣向に合ったソースを見つけ易くなる。例えば、助手席側の乗員が「ＣＤ」の内容を聴きたい場合には操作部１９等を介して当該ソース（ＣＤ）の選択操作を行う（あるいはタッチパネル２１ａ上の当該ソース（ＣＤ）にタッチ操作する）ことにより、目的のソース（ＣＤ）の選択を容易に行うことができる。
【００３５】
また、ソース選択画面４１（図３（ａ））の表示中に各ソース（ＦＭ、ＣＤ、ＴＶ）のいずれに対しても「ソース選択」の指示が入力されなかったときは、さらに操作部１９、リモコン２０等を介してソース選択に係る「画面切替」の指示を入力することで、図４に示すように次のソース選択画面４２が表示される。このソース選択画面４２には、ソース選択画面４１と同様に、画面上の異なる位置に３種類のソース（左から順にＤＶＤ、ＨＤＤ、ＡＭ）をそれぞれ特定するアイコンＩＣ４、ＩＣ５、ＩＣ２が表示されている。そして、その表示の際には、制御部１０からの制御に基づきＤＳＰ１２により、画面４２上の各ソース（ＤＶＤ、ＨＤＤ、ＡＭ）のアイコンＩＣ４、ＩＣ５、ＩＣ２の配列に対応した異なる位置にそれぞれ当該ソースの音像が定位するように（図３（ｂ）参照）、制御が行われる。
【００３６】
従来のソース選択の方法では、ソース選択に係るキー操作を１回行う毎に各ソースを順次選択するようにしていたため、６種類のソースが搭載されている場合に目的のソースが５番目にあるときはキー操作を５回行わなければならなかったが、本実施形態に係るソース選択の方法では（図３、図４参照）、一度に３種類のソースを画面４１，４２に表示させてその内容確認を行えるようにしているので、ソース選択に係る「画面表示」の操作及び「画面切替」の操作を行い、画面に表示されている３種類のソース（４〜６番目）の中から目的のソース（５番目）を選択するための「ソース選択」の操作を行えばよいので、ソース選択に係る操作は計３回で済む。
【００３７】
このように本実施形態に係る車載用Ａ／Ｖ装置３０を用いて行うソース選択方法によれば、画面上で同時に３種類のソースの内容確認を行えるようにしているので、車載の複数のソース１〜６の中から所望のソースを選択するのに必要な操作回数を少なくすることができ、ソース選択に係る操作の煩わしさを大いに減じることができる。これにより、ソースを選択する際の操作利便性を大いに高めることができる（ユーザメリットの向上）。
【００３８】
上述した実施形態では、３種類のソースの音像（図３（ｂ）を車室内の異なる位置に定位させたときに各ソースの音声を同時に出力させる場合を例にとって説明したが、本発明の要旨（ソース選択画面に複数のソース（文字又はアイコン）を一度に表示し、その表示配列に対応させて各ソースの音像を異なる位置に定位させ、各ソースの内容確認を行えるようにすること）からも明らかなように、ソース選択画面の表示中に各ソースの音声を必ずしも同時に出力させる必要がないことはもちろんである。例えば、各ソースの音声を時系列的に順次切り替えて出力させるようにしてもよい。その場合の一例を図５に示す。
【００３９】
図５に示す例では、先ず（ａ）に示すように、ソース選択画面４１ａの表示中に各ソース（ＦＭ、ＣＤ、ＴＶ）のうち「ＦＭ」ソースの音声のみを所定時間（例えば、２〜３秒程度）出力させ、このとき、当該ソース（ＦＭ）のアイコンＩＣ１’を相対的に目立つ表示態様（図示の例では、点滅態様）で表示させる。次に（ｂ）に示すように、ソース選択画面４１ｂの表示中に各ソースのうち「ＣＤ」ソースの音声のみを所定時間出力させ、同様に、当該ソース（ＣＤ）のアイコンＩＣ６’を点滅態様で表示させる。次に（ｃ）に示すように、ソース選択画面４１ｃの表示中に各ソースのうち「ＴＶ」ソースの音声のみを所定時間出力させ、同様に、当該ソース（ＴＶ）のアイコンＩＣ３’を点滅態様で表示させる。この後は、（ａ）に戻って同様の処理を繰り返す。
【００４０】
このようにソース選択画面４１ａ〜４１ｃが表示されている期間中に各ソース（ＦＭ、ＣＤ、ＴＶ）の音声を時系列的に順次切り替えて出力させることで、前記のように同時出力させる場合と比べて、各ソース毎にそれぞれどのような情報（音声）が出力されているのかをより一層確実に把握できるというメリットがある。
【００４１】
また、各ソース（ＦＭ、ＣＤ、ＴＶ）の音声を時系列的に順次切り替えて出力させる際に、各ソース選択画面４１ａ，４１ｂ，４１ｃ上でそれぞれ音声出力中の当該ソースのアイコンＩＣ１’，ＩＣ６’，ＩＣ３’を点滅表示させているので、現在聴いている音声がどのソースから出力されているのかを確実に把握することができ、ユーザメリットの向上により一層寄与することができる。
【００４２】
上述した実施形態では、ソース選択画面（図３、図４の画面４１，４２、図５の画面４１ａ，４１ｂ，４１ｃ）を表示する際に各ソースを特定する情報として「アイコン」を表示させる場合を例にとって説明したが、本発明の要旨からも明らかなように、各ソースを特定できる情報であれば十分であり、アイコンに代えて「文字」を表示させるようにしてもよい。
【００４３】
また、上述した実施形態では、ソース選択画面（図３、図４の画面４１，４２、図５の画面４１ａ，４１ｂ，４１ｃ）を表示する際に各ソースのアイコンを表示させているが、画面上に表示されているソースの中に映像情報を出力しているソースが含まれている場合には、当該ソースのアイコンに代えてその映像情報（例えば、当該ソースがＴＶ３の場合には、ＴＶ画面に表示されている映像）を表示させるようにしてもよい。
【００４４】
また、図４に示す画面切替の例では、現在表示中の３種類のソース（アイコン）から次の３種類のソース（アイコン）へ一度に画面切替を行うようにしているが、ロータリ式スイッチ等を操作してソースを１つずつシフトさせながら順次画面切替を行うようにしてもよい。
【図面の簡単な説明】
【００４５】
【図１】本発明に係るソース選択を説明するための図である。
【図２】本発明の一実施形態に係る車載用オーディオ／ビデオ（Ａ／Ｖ）装置の構成を示すブロック図である。
【図３】図２の装置において行うソース選択に係る画面表示とその際に定位させる当該ソースの音像との関係を示す図である。
【図４】ソース選択に係る画面切替の一例を示す図である。
【図５】ソース選択画面の表示中における各ソースからの音声の切替出力の一例を示す図である。
【符号の説明】
【００４６】
１〜６…オーディオ／ビデオ（Ａ／Ｖ）ソース、
１０…制御部（制御手段）、
１１…セレクタ、
１２…ＤＳＰ（制御手段）、
１３ａ〜１３ｃ…モノラル化処理部、
１４ａ，１４ｂ…ミキサ、
１５…オーディオ出力制御部、
１７Ｌ，１７Ｒ…スピーカ（音声出力手段）、
１８…表示装置（表示手段）、
１９…操作部（入力手段）、
２０…リモコン（入力手段）、
２１ａ…タッチパネル（入力手段）、
３０…車載用オーディオ／ビデオ（Ａ／Ｖ）装置、
ＤＰ，４１，４１ａ，４１ｂ，４１ｃ，４２…ソース選択画面、
ＩＣ（Ａ），ＩＣ（Ｂ），ＩＣ（Ｃ），ＩＣ１〜ＩＣ６，ＩＣ１’，ＩＣ３’，ＩＣ６’…（当該ソースを特定する）アイコン、
Ｓ（Ａ），Ｓ（Ｂ），Ｓ（Ｃ），Ｓ１，Ｓ３，Ｓ６…音像。
【図１】
2007228336.tif 000003
【図２】
2007228336.tif 000004
【図３】
2007228336.tif 000005
【図４】
2007228336.tif 000006
【図５】
2007228336.tif 000007